(57)【要約】      （修正有）【課題】原稿支持板に対する各ラインセンサの距離のばらつき、傾きに拘わらず、各ラインセンサの光電変換素子から読出される原稿読取り値のばらつきを抑制する。【解決手段】千鳥状に配列された各ラインセンサの光電変換素子が白基準板を読取った値からラインセンサ毎に求めたラインセンサ両端部付近の白基準読取加重平均値と、同光電変換素子が原稿支持板上に置かれた他の白基準板を読取った値からラインセンサ毎に求めたラインセンサ両端部付近の白基準読取加重平均値とを用い、原稿支持板に対する各ラインセンサの距離のばらつき等による感度の差を揃えるために、各ラインセンサ両端部付近の感度オフセット係数で白基準読取り値を修正し、シェーディング補正する。【選択図】図７
2015211344.tif 000002
【特許請求の範囲】
【請求項１】
原稿を先行して読取る第１列をなすとともに、該第１列に続いて前記原稿を読取る第２列をなして千鳥状に配列されて固定された複数のラインセンサと、
該ラインセンサを覆った透明な原稿支持板と、
該原稿支持板を境に前記各ラインセンサとは反対側に前記原稿支持板から離間して配置された白基準板と、
閉じたときに前記白基準板が前記ライセンサに対向するように固定された開閉可能な原稿台カバーと、
前記原稿を照明する照明手段と、
を有し、前記原稿支持板上の前記原稿を読取る原稿読取り装置において、
前記ラインセンサの光電変換素子が読取れる距離であって前記光電変換素子の焦点位置より離れた位置に配置され、照明された前記白基準板を、各前記ラインセンサで読取って、各前記ラインセンサの前記光電変換素子の焦点位置でない位置での白基準読取り値Ａを求め、
前記白基準板と前記ラインセンサとの間に配置された前記原稿支持板の表面に置かれ、前記白基準板と同種の他の白基準板であって、照明された前記他の白基準板を、各前記ラインセンサで読取って、各前記ラインセンサの前記光電変換素子の焦点位置の白基準読取り値Ｂを求め、
前記ラインセンサ毎に、各前記ラインセンサの一方側の所定数の前記光電変換素子の前記白基準読取り値Ａを平均した白基準読取り加重平均値ＡＡＲを求め、
前記ラインセンサ毎に、各前記ラインセンサの他方側の所定数の前記光電変換素子の前記白基準読取り値Ａを平均した白基準読取り加重平均値ＡＡＬを求め、
前記ラインセンサ毎に、各前記ラインセンサの一方側の所定数の前記光電変換素子の前記白基準読取り値Ｂを平均した白基準読取り加重平均値ＢＢＲを求め、
前記ラインセンサ毎に、各前記ラインセンサの他方側の所定数の前記光電変換素子の前記白基準読取り値Ｂを平均した白基準読取り加重平均値ＢＢＬを求め、
前記ラインセンサ毎に、前記白基準読取り加重平均値ＡＡＲで前記白基準読取り加重平均値ＢＢＲを割算して前記ラインセンサ毎に感度オフセット係数ＣＲを求め、
前記ラインセンサ毎に、前記白基準読取り加重平均値ＡＡＬで前記白基準読取り加重平均値ＢＢＬを割算して前記ラインセンサ毎に感度オフセット係数ＣＬを求め、
前記ラインセンサ毎の前記一方側の感度オフセット係数ＣＲと前記他方側の感度オフセット係数ＣＬに基づいて線形補間し、前記光電変換素子の位置に応じた感度オフセット係数ＣＣを前記ラインセンサ毎に求め、
前記原稿を読取る直前に照明を切った状態で前記原稿台カバーに固定された前記白基準板を前記各ラインセンサで読取って、各前記ラインセンサの前記光電変換素子の黒基準読取り値Ｄを求め、
前記原稿を読取る直前に照明された前記原稿台カバーに固定された前記白基準板を各前記ラインセンサで読取って白基準読取り値Ａａを求め、
照明された前記原稿を各前記ラインセンサで読取って前記ラインセンサ毎の前記光電変換素子毎の原稿読取り値Ｅを求め、
諧調数×〔（原稿読取り値Ｅ−黒基準読取り値Ｄ）／〔（白基準読取り値Ａａ×感度オフセット係数ＣＣ）−黒基準読取り値Ｄ〕〕の式で、前記ラインセンサ毎の前記光電変換素子毎にシェーディング補正をするシェーディング補正部と、
を具備した原稿読取り装置。
【請求項２】
原稿を先行して読取る第１列をなすとともに、該第１列に続いて前記原稿を読取る第２列をなして千鳥状に配列されて固定された複数のラインセンサと、
該ラインセンサを覆った透明な原稿支持板と、
該原稿支持板を境に前記各ラインセンサとは反対側に前記原稿支持板から離間して配置された白基準板と、
閉じたときに前記白基準板が前記ライセンサに対向するように固定された開閉可能な原稿台カバーと、
前記原稿を照明する照明手段と、
を有し、前記原稿支持板上の前記原稿を読取る原稿読取り装置の原稿読取り方法において、
前記ラインセンサの光電変換素子が読取れる距離であって前記光電変換素子の焦点位置より離れた位置に配置され、照明された前記白基準板を、各前記ラインセンサで読取って、各前記ラインセンサの前記光電変換素子の焦点位置でない位置での白基準読取り値Ａを求める工程と、
前記白基準板と前記ラインセンサとの間に配置された前記原稿支持板の表面に置かれ、前記白基準板と同種の他の白基準板であって、照明された前記他の白基準板を、各前記ラインセンサで読取って、各前記ラインセンサの前記光電変換素子の焦点位置の白基準読取り値Ｂを求める工程と、
前記ラインセンサ毎に、各前記ラインセンサの一方側の所定数の前記光電変換素子の前記白基準読取り値Ａを平均した白基準読取り加重平均値ＡＡＲを求める工程と、
前記ラインセンサ毎に、各前記ラインセンサの他方側の所定数の前記光電変換素子の前記白基準読取り値Ａを平均した白基準読取り加重平均値ＡＡＬを求める工程と、
前記ラインセンサ毎に、各前記ラインセンサの一方側の所定数の前記光電変換素子の前記白基準読取り値Ｂを平均した白基準読取り加重平均値ＢＢＲを求める工程と、
前記ラインセンサ毎に、各前記ラインセンサの他方側の所定数の前記光電変換素子の前記白基準読取り値Ｂを平均した白基準読取り加重平均値ＢＢＬを求める工程と、
前記ラインセンサ毎に、前記白基準読取り加重平均値ＡＡＲで前記白基準読取り加重平均値ＢＢＲを割算して前記ラインセンサ毎に感度オフセット係数ＣＲを求める工程と、
前記ラインセンサ毎に、前記白基準読取り加重平均値ＡＡＬで前記白基準読取り加重平均値ＢＢＬを割算して前記ラインセンサ毎に感度オフセット係数ＣＬを求める工程と、
前記ラインセンサ毎の前記一方側の感度オフセット係数ＣＲと前記他方側の感度オフセット係数ＣＬに基づいて線形補間し、前記光電変換素子の位置に応じた感度オフセット係数ＣＣを前記ラインセンサ毎に求める工程と、
前記原稿を読取る直前に照明を切った状態で前記原稿台カバーに固定された前記白基準板を前記各ラインセンサで読取って、各前記ラインセンサの前記光電変換素子の黒基準読取り値Ｄを求める工程と、
前記原稿を読取る直前に照明された前記原稿台カバーに固定された前記白基準板を各前記ラインセンサで読取って白基準読取り値Ａａを求める工程と、
照明された前記原稿を各前記ラインセンサで読取って前記ラインセンサ毎の前記光電変換素子毎の原稿読取り値Ｅを求める工程と、
諧調数×〔（原稿読取り値Ｅ−黒基準読取り値Ｄ）／〔（白基準読取り値Ａａ×感度オフセット係数ＣＣ）−黒基準読取り値Ｄ〕〕の式で、前記ラインセンサ毎の前記光電変換素子毎にシェーディング補正をする工程と、を有する原稿読取り方法。
【請求項３】
請求項１に記載の原稿読取り装置と、該原稿読取り装置で原稿を読取り、該読取ったデータに基づいて記録媒体に画像を記録する記録手段を備えた画像形成装置。
【請求項４】
請求項１に記載の原稿読取り装置と、該原稿読取り装置で原稿を読取り、該読取ったデータを外部機器に送信するインターフェースと、を備えたイメージスキャナ。
【発明の詳細な説明】
【技術分野】
【０００１】
本発明は、ラインセンサを用いて原稿の画像情報を読取る原稿読取り装置及び原稿読取り方法に関するとともに、読取った原稿の画像情報を外部に出力するイメージスキャナ、及び読取った原稿の画像情報を記録媒体に記録する複写機やファクシミリ等の画像形成装置に関する。
【背景技術】
【０００２】
従来、複数のラインセンサを千鳥状に配列することによって、主走査方向に延びる第１列と第２列とを形成して、第１列のラインセンサで原稿を先行して読取り、この第１列に対して副走査方向にずれた第２列のラインセンサで第１列に続いて原稿を読取るようにした原稿読取装置が知られている。
【０００３】
又、原稿読取り装置において、ラインセンサの主走査方向に並べられた多数の光電変換素子の特性のばらつきの影響を抑制して、各光電変換素子の出力データのダイナミックレンジを上げるためのシェーディング補正をする技術も知られている。
【０００４】
この光電変換素子毎のシェーディング補正は以下の式を用いて行われる。
諧調数×（原稿読取り値−黒基準読取り値）／（白基準読取り値−黒基準読取り値）
この式で、白基準読取り値は、透明な原稿支持板を境にラインセンサとは反対側に離間配置された白基準板を、照明下でラインセンサの各光電変換素子で夫々読み取って得た読取りデータを指し、黒基準読取り値は、照明を切った状態で前記白基準板をラインセンサの各光電変換素子で夫々読み取って得た読取りデータを指し、原稿読取り値は、原稿支持体上の原稿を照明下でラインセンサの各光電変換素子で夫々読み取って得た読取りデータを指し、又、諧調数は、通常は各読取りデータ（出力電圧値）を、例えば８ビット（２５５段）のデジタルデータに対応させたグレー諧調で表現している。
【０００５】
例えば特開２００６−１２９２９６号公報には、複数のラインセンサを備えた読取り装置が開示されている。また、各ラインセンサから原稿支持板までの距離のばらつきによる読取りデータの差を補正している。これは、原稿支持板から離間させた位置に固定されている通常のシェーディング補正用の白基準板を用いて取得した読取りデータと、ラインセンサの距離のばらつきを補正する為に用いる原稿支持板に乗せた白基準板を用いて取得した読取りデータとから、ラインセンサ毎の感度オフセット係数と呼ばれる補正値を演算することが開示されている。ラインセンサ毎に、２種類の白基準板毎の読取りデータの平均値の比を用いて補正値としている。
【先行技術文献】
【特許文献】
【０００６】
【特許文献１】特開２００６−１２９２９６号公報
【発明の概要】
【発明が解決しようとする課題】
【０００７】
千鳥状に配列されたラインセンサを用いて原稿を読取る原稿読取り装置では、その原稿支持板に対する距離を厳密に同じにして複数のラインセンサを配置することはきわめて困難であるとともに、原稿支持板に対してラインセンサを傾く事なく厳密に平行に配置する事はきわめて困難である。この距離のばらつき、傾きは、ラインセンサ毎にμmオーダーの寸法公差のばらつきがあるとともに、これら複数のラインセンサが設置された台（ベース）及び原稿支持板の厚みの寸法公差並びにそれらの歪みなどを原因として発生する。
【０００８】
原稿支持板に対する各ラインセンサの距離にばらつきがあっても、原稿支持板に対して、ラインセンサが傾く事なく、平行であれば、特許文献１の方法を用いる事で、各ラインセンサ間の濃淡差をなくし、良好な画像品質を得る事ができる。しかし、平行でなく傾きがある場合は、特許文献１の方法を用いて算出した感度オフセット係数は、ラインセンサの中の個々の光電変換素子、特に両端部の光電変換素子にとって誤差が大きくなる要因となる。これは、ラインセンサで取得した値の平均値に基づいて感度オフセット係数を決めているので、傾きがある場合は、原稿支持板に対するラインセンサの両端に位置する光電変換素子の距離が平均値から大きく離れることになる。その為、各ラインセンサ間の境界部分では、濃淡差が発生し易く、例えば均一なグレー諧調で塗りつぶしたベタ一面の画像を読み取った場合、各ラインセンサ間の境界で濃淡差が発生し、境界線が見えるようになり、画像品質上は好ましくない。
【０００９】
本発明の目的は、原稿支持板に対する各ラインセンサの距離のばらつき、及び原稿支持板に対する各ラインセンサの傾きの有無に拘わらず、各ラインセンサの光電変換素子から読出される原稿読取り値のばらつきを抑制できる原稿読取り装置を得ることにある。
【課題を解決するための手段】
【００１０】
本発明の原稿読取り装置は、原稿を先行して読取る第１列をなすとともに、該第１列に続いて前記原稿を読取る第２列をなして千鳥状に配列されて固定された複数のラインセンサと、該ラインセンサを覆った透明な原稿支持板と、該原稿支持板を境に前記各ラインセンサとは反対側に前記原稿支持板から離間して配置された白基準板と、閉じたときに前記白基準板が前記ライセンサに対向するように固定された開閉可能な原稿台カバーと、前記原稿を照明する照明手段と、を有し、前記原稿支持板上の前記原稿を読取る原稿読取り装置において、前記ラインセンサの光電変換素子が読取れる距離であって前記光電変換素子の焦点位置より離れた位置に配置され、照明された前記白基準板を、各前記ラインセンサで読取って、各前記ラインセンサの前記光電変換素子の焦点位置でない位置での白基準読取り値Ａを求め、前記白基準板と前記ラインセンサとの間に配置された前記原稿支持板の表面に置かれ、前記白基準板と同種の他の白基準板であって、照明された前記他の白基準板を、各前記ラインセンサで読取って、各前記ラインセンサの前記光電変換素子の焦点位置の白基準読取り値Ｂを求め、前記ラインセンサ毎に、各前記ラインセンサの一方側の所定数の前記光電変換素子の前記白基準読取り値Ａを平均した白基準読取り加重平均値ＡＡＲを求め、前記ラインセンサ毎に、各前記ラインセンサの他方側の所定数の前記光電変換素子の前記白基準読取り値Ａを平均した白基準読取り加重平均値ＡＡＬを求め、前記ラインセンサ毎に、各前記ラインセンサの一方側の所定数の前記光電変換素子の前記白基準読取り値Ｂを平均した白基準読取り加重平均値ＢＢＲを求め、前記ラインセンサ毎に、各前記ラインセンサの他方側の所定数の前記光電変換素子の前記白基準読取り値Ｂを平均した白基準読取り加重平均値ＢＢＬを求め、前記ラインセンサ毎に、前記白基準読取り加重平均値ＡＡＲで前記白基準読取り加重平均値ＢＢＲを割算して前記ラインセンサ毎に感度オフセット係数ＣＲを求め、前記ラインセンサ毎に、前記白基準読取り加重平均値ＡＡＬで前記白基準読取り加重平均値ＢＢＬを割算して前記ラインセンサ毎に感度オフセット係数ＣＬを求め、前記ラインセンサ毎の前記一方側の感度オフセット係数ＣＲと前記他方側の感度オフセット係数ＣＬに基づいて線形補間し、前記光電変換素子の位置に応じた感度オフセット係数ＣＣを前記ラインセンサ毎に求め、前記原稿を読取る直前に照明を切った状態で前記原稿台カバーに固定された前記白基準板を前記各ラインセンサで読取って、各前記ラインセンサの前記光電変換素子の黒基準読取り値Ｄを求め、前記原稿を読取る直前に照明された前記原稿台カバーに固定された前記白基準板を各前記ラインセンサで読取って白基準読取り値Ａａを求め、照明された前記原稿を各前記ラインセンサで読取って前記ラインセンサ毎の前記光電変換素子毎の原稿読取り値Ｅを求め、諧調数×〔（原稿読取り値Ｅ−黒基準読取り値Ｄ）／〔（白基準読取り値Ａａ×感度オフセット係数ＣＣ）−黒基準読取り値Ｄ〕〕の式で、前記ラインセンサ毎の前記光電変換素子毎にシェーディング補正をするシェーディング補正部と、を具備する。
【００１１】
この発明では、各ラインセンサの光電変換素子が白基準板を読取った白基準読取り値Ａからラインセンサ毎に求めた白基準読取り加重平均値ＡＡＲ、ＡＡＬと、同光電変換素子が原稿支持板上に置かれた他の白基準板を読取った白基準読取り値Ｂからラインセンサ毎に求めた白基準読取り加重平均値ＢＢＲ、ＢＢＬと、を用いて、ラインセンサ毎に感度オフセット係数ＣＲ、ＣＬを求める。感度オフセット係数ＣＲ、ＣＬは、原稿支持板に対する各ラインセンサの距離のばらつき、及び原稿支持板に対する各ラインセンサの傾きの有無によって異なる感度を一定に揃えるための定数であって、この感度オフセット係数ＣＲ、ＣＬで、シェーディング補正での白基準読取り値を原稿支持板に対する各ラインセンサの距離のばらつき、及び傾きに応じて修正する。それにより、本発明方法では、原稿支持板に対する各ラインセンサの距離のばらつき、及び原稿支持板に対する各ラインセンサの傾きの有無に拘わらず、千鳥状配置の各ラインセンサの読取り領域の違いに基づいて、各ラインセンサの光電変換素子から読出される原稿読取り値のばらつきを抑制できる。
【００１２】
また本発明の原稿読取り方法は、原稿を先行して読取る第１列をなすとともに、該第１列に続いて前記原稿を読取る第２列をなして千鳥状に配列されて固定された複数のラインセンサと、該ラインセンサを覆った透明な原稿支持板と、該原稿支持板を境に前記各ラインセンサとは反対側に前記原稿支持板から離間して配置された白基準板と、閉じたときに前記白基準板が前記ライセンサに対向するように固定された開閉可能な原稿台カバーと、前記原稿を照明する照明手段と、を有し、前記原稿支持板上の前記原稿を読取る原稿読取り装置の原稿読取り方法において、前記ラインセンサの光電変換素子が読取れる距離であって前記光電変換素子の焦点位置より離れた位置に配置され、照明された前記白基準板を、各前記ラインセンサで読取って、各前記ラインセンサの前記光電変換素子の焦点位置でない位置での白基準読取り値Ａを求める工程と、前記白基準板と前記ラインセンサとの間に配置された前記原稿支持板の表面に置かれ、前記白基準板と同種の他の白基準板であって、照明された前記他の白基準板を、各前記ラインセンサで読取って、各前記ラインセンサの前記光電変換素子の焦点位置の白基準読取り値Ｂを求める工程と、前記ラインセンサ毎に、各前記ラインセンサの一方側の所定数の前記光電変換素子の前記白基準読取り値Ａを平均した白基準読取り加重平均値ＡＡＲを求める工程と、前記ラインセンサ毎に、各前記ラインセンサの他方側の所定数の前記光電変換素子の前記白基準読取り値Ａを平均した白基準読取り加重平均値ＡＡＬを求める工程と、前記ラインセンサ毎に、各前記ラインセンサの一方側の所定数の前記光電変換素子の前記白基準読取り値Ｂを平均した白基準読取り加重平均値ＢＢＲを求める工程と、前記ラインセンサ毎に、各前記ラインセンサの他方側の所定数の前記光電変換素子の前記白基準読取り値Ｂを平均した白基準読取り加重平均値ＢＢＬを求める工程と、前記ラインセンサ毎に、前記白基準読取り加重平均値ＡＡＲで前記白基準読取り加重平均値ＢＢＲを割算して前記ラインセンサ毎に感度オフセット係数ＣＲを求める工程と、前記ラインセンサ毎に、前記白基準読取り加重平均値ＡＡＬで前記白基準読取り加重平均値ＢＢＬを割算して前記ラインセンサ毎に感度オフセット係数ＣＬを求める工程と、前記ラインセンサ毎の前記一方側の感度オフセット係数ＣＲと前記他方側の感度オフセット係数ＣＬに基づいて線形補間し、前記光電変換素子の位置に応じた感度オフセット係数ＣＣを前記ラインセンサ毎に求める工程と、前記原稿を読取る直前に照明を切った状態で前記原稿台カバーに固定された前記白基準板を前記各ラインセンサで読取って、各前記ラインセンサの前記光電変換素子の黒基準読取り値Ｄを求める工程と、前記原稿を読取る直前に照明された前記原稿台カバーに固定された前記白基準板を各前記ラインセンサで読取って白基準読取り値Ａａを求める工程と、照明された前記原稿を各前記ラインセンサで読取って前記ラインセンサ毎の前記光電変換素子毎の原稿読取り値Ｅを求める工程と、諧調数×〔（原稿読取り値Ｅ−黒基準読取り値Ｄ）／〔（白基準読取り値Ａａ×感度オフセット係数ＣＣ）−黒基準読取り値Ｄ〕〕の式で、前記ラインセンサ毎の前記光電変換素��毎にシェーディング補正をする工程と、を有する。
【００１３】
この発明では、原稿支持板に対する各ラインセンサの距離のばらつき、及び、原稿支持板に対する各ラインセンサの傾きの有無によって異なる感度を一定に揃える感度オフセット係数ＣＲ、ＣＬで、シェーディング補正での白基準読取り値を原稿支持板に対する各ラインセンサの距離のばらつき、及び、傾きに応じて修正する前記原稿読取り方法を実施するので、原稿支持板に対する各ラインセンサの距離のばらつき、及び原稿支持板に対する各ラインセンサの傾きの有無に拘わらず、千鳥配置の各ラインセンサの読取り領域の違いに基づいて、各ラインセンサの光電変換素子から読出される原稿読取り値のばらつきを抑制できる。
【００１４】
また本発明の画像形成装置は、上述原稿読取り装置と、原稿読取装置で読取ったデータを記録媒体に記録する記録装置を備える。したがって、この発明では、原稿支持板に対する各ラインセンサの距離のばらつき、及び原稿支持板に対する各ラインセンサの傾きの有無に拘わらず、千鳥配置の各ラインセンサの読取り領域の違いに基づいて、各ラインセンサの光電変換素子から読出される原稿読取り値のばらつきを抑制できる原稿読取り装置を備えた画像形成装置を提供できる。
【００１５】
また、本発明のイメージスキャナは上述の原稿読取り装置と、原稿読取装置で読取ったデータを外部機器に送信するインターフェースを備える。したがって、この発明では、原稿支持板に対する各ラインセンサの距離のばらつき、及び原稿支持板に対する各ラインセンサの傾きの有無に拘わらずに、千鳥配置の各ラインセンサの読取り領域の違いに基づいて、各ラインセンサの光電変換素子から読出される原稿読取り値のばらつきを抑制できる原稿読取り装置を備えたイメージスキャナを提供できる。
【発明の効果】
【００１６】
本発明によれば、原稿支持板に対する各ラインセンサの距離のばらつき、及び原稿支持板に対する各ラインセンサの傾きの有無によって異なる感度を一定に揃える感度オフセット係数で、シェーディング補正の際に用いる白基準読取り値を、距離のばらつき、及び傾きの有無に応じてラインセンサ毎に修正するので、原稿支持板に対する各ラインセンサの距離のばらつき、及び原稿支持板に対する各ラインセンサの傾きの有無に拘わらず、各ラインセンサの光電変換素子から読出される原稿読取り値のばらつきを抑制できる原稿読取り方法及び装置を提供できる。
【図面の簡単な説明】
【００１７】
【図１】図１は、原稿読取り装置を備えた画像形成装置を概略的に示す図である。
【図２】図２は、原稿読取り装置の構成を概略的に示す図である。
【図３】図３は、原稿読取り装置の原稿読取りユニットと原稿との位置関係を示す図である。
【図４】図４は、図２のＦ４−Ｆ４線から見た場合の原稿読取りユニットと原稿支持板と白基準板との位置関係を説明する図である。
【図５】図５は、原稿読取り装置のラインセンサを説明する斜視図である。
【図６】図６は、ラインセンサが有する受光素子の距離に対する感度を示す特性図である。
【図７】図７は、原稿読取り装置の電気的構成を示すブロック図である。
【図８】図８は、原稿読取り装置を備えたイメージスキャナを概略的に示す図である。
【発明を実施するための形態】
【００１８】
図１〜図７を参照して本発明の施形態を説明する。
図１の中の画像形成装置１は、例えば電子写真式複写機などの画像読取り装置付の記録装置を示している。この画像形成装置１は、複数の車輪２ａを有した基台２と、この上に設置された給紙部３と、この給紙部３上に設置された画像形成部４と、この画像形成部４上に設置された原稿読取り部５とを備えている。
【００１９】
給紙部３は夫々給紙ローラ６が設けられた複数の給紙トレイ３ａを有している。これらの給紙トレイ３ａの内部に収容されている用紙は、給紙ローラ６が回転駆動されることによって、図１中の一点鎖線で示すように給紙部３の給紙ローラ６から画像形成部４の点線で示されている画像形成ユニット４０に送り込まれる。この画像形成部４で記録された後、画像形成装置１の外部に搬出される。
【００２０】
画像形成部４は、用紙が通過する画像形成ユニット４０を有しており、原稿読取り部５から出力される原稿画像のデジタルデータに基づき、画像形成ユニット４０で用紙に画像を記録する。
【００２１】
原稿読取り部５は、原稿台７に、密着型の原稿読取りユニット８を固定するとともに、この原稿読取りユニット８の上面を覆う原稿台カバー９を開閉可能に取付けている。原稿読取り部５に対して原稿は、図１及び図２中矢印Ｑに示すように画像形成装置１の前側から供給されて、原稿読取りユニット８と原稿台カバー９との間を通過して画像形成装置１の後方に排出される。原稿読取りユニット８は、原稿画像を光電的に読取って、その読取り情報をデジタルデータにして画像形成ユニット４０に出力する。白基準板１１は原稿台カバー９に固定されている。画像形成装置１では、読取ったデジタルデータに基づいて、画像を記録する記録装置が備わる画像形成ユニット４０で記録媒体に記録される。記録装置は、電子写真式やインクジェット式のプリンターである。記録媒体は、紙、樹脂フィルムなどである。
【００２２】
図２に示すように原稿読取り部５は、原稿読取りユニット８を覆った固定の透明な原稿支持板１０を境に原稿読取りユニット８とは反対側に離間配置された白基準板１１を有している。原稿支持板１０は、原稿の原稿面が接する透明板からなり、ガラス板を好適に使用できる他、アクリルボード等の透明合成樹脂板なども使用でき、原稿台７に固定されている。白基準板１１は、グレー諧調の基準をなす白色の板であって、原稿台カバー９に固定されていて、原稿台カバー９が閉じられたときに図２に示すように原稿読取りユニット８の真上に対向して配置される。
【００２３】
原稿読取りユニット８、原稿支持板１０、及び白基準板１１を基準に原稿の移動方向上流側には、一対の搬入ローラ１２ａ、１２ｂが配置されている。また、原稿の移動方向下流側には、一対の送りローラ１４a、１４ｂが配置されている。原稿の先端を検出して原稿の挿入を検出する入口センサをなす発光器１３ａ及び受光器１３ｂが、搬入ローラ１２ａ、１２ｂの上流側の近傍に配置されている。原稿の先端を検出する出口センサをなす発光器１５ａ及び受光器１５ｂが、送りローラ１４の下流側の近傍に配置されている。更に、一対の搬出ローラ１６ａ、１６ｂが出口センサの下流側の近傍に配置され、原稿を外部に排出する。
【００２４】
搬入ローラ１２ａ、発光器１３ａ、１５ａ、送りローラ１４a、及び搬出ローラ１６ａは原稿台７に設けられ、搬入ローラ１２ｂ、受光器１３ｂ、１５ｂ、送りローラ１４ｂ、及び搬出ローラ１６ｂは原稿台カバー９に設けられている。搬入ローラ１２ａ、１２ｂの一方は駆動され、これに対して他方は従動される。同様に、搬出ローラ１６ａ、１６ｂの一方は駆動され、これに対して他方は従動される。
【００２５】
入口センサの受光器１３ｂが挿入された原稿の先端を検出することにより、原稿読取りユニット８が白基準板１１を読取り、その一方で搬入ローラ１２ａ、１２ｂの一方が回転駆動されるとともに、正確な紙送りをさせるための送りローラ１４a、１４ｂの一方が回転駆動される。搬入された原稿の先端を出口センサの受光器１４ｂが検出することにより、原稿読取りユニット８による原稿の読取りが開始されるとともに、搬出ローラ１６ａ、１６ｂの一方が回転駆動される。又、入口センサが挿入された原稿の後端を検出することにより、搬入ローラ１２ａ、１２ｂの回転駆動が停止され、同様に搬入された原稿の後端を出口センサが検出することにより、送りローラ１４a、１４ｂ、及び搬出ローラ１６ａ、１６ｂの回転駆動が停止される。
【００２６】
原稿読取りユニット８、原稿支持板１０、白基準板１１、図７に示す制御部１７を備えて原稿読取り装置が形成されている。この原稿読取り装置が備える原稿読取りユニット８は、図３に示すようにユニットベース２１に、複数例えば５個のラインセンサＣＩＳ２２〜ＣＩＳ２６及び原稿支持板１０を支持している。又、原稿読取りユニット８と原稿支持板１０とは、密着型のイメージセンサを形成している。
【００２７】
ラインセンサＣＩＳ２２、ＣＩＳ２３、ＣＩＳ２４、ＣＩＳ２５、ＣＩＳ２６は、それぞれ、Ｎ個の光電変換素子から構成され、走査方向に所定距離隔てて第１列と第２列をなして千鳥状に配列されている。例えばＮは５０００である。第１列のＣＩＳはラインセンサＣＩＳ２２、ＣＩＳ２３、ＣＩＳ２４を主走査方向に所定間隔毎に配置した列からなり、第２列のＣＩＳはラインセンサＣＩＳ２５、ＣＩＳ２６を主走査方向に所定間隔毎に配置した列からなる。図３中の原稿Ｒは原稿支持板１０の上面に沿って移動される原稿を示しており、この原稿Ｒは５個のラインセンサＣＩＳ２２、ＣＩＳ２３、ＣＩＳ２４、ＣＩＳ２５、ＣＩＳ２６によって主走査方向に分割して走査される。なお、各ラインセンサＣＩＳ２２、ＣＩＳ２３、ＣＩＳ２４、ＣＩＳ２５、ＣＩＳ２６の焦点は、設計上、原稿支持板１０の上面又はその至近距離に設定されるが、各ラインセンサＣＩＳ２２、ＣＩＳ２３、ＣＩＳ２４、ＣＩＳ２５、ＣＩＳ２６の寸法公差、設置誤差などによってばらつきがある。
【００２８】
例えば、図４で示されているように、ＣＩＳ２２と原稿支持板１０との距離は、ＣＩＳ２２が原稿支持板１０に傾いて配置されているため、左端部の距離Ｌ１ａと中央部の距離Ｌ１ｂと右端部の距離Ｌ１ｃは異なる。また、ＣＩＳ２５と原稿支持板１０との距離は、ＣＩＳ２５が原稿支持板１０にＣＩＳ２２とは異なる方向に傾いて配置されているため、左端部の距離Ｌ４ａと中央部の距離Ｌ４ｂと右端部の距離Ｌ４ｃは異なる。また、ＣＩＳ２２とＣＩＳ２５を比べた場合も距離が異なる。ＣＩＳ２３と原稿支持板１０との距離は、ＣＩＳ２３が原稿支持板１０に平行に配置されているため、左端部の距離Ｌ２ａと中央部の距離Ｌ２ｂと右端部の距離Ｌ２ｃは同じ距離である。ＣＩＳ２６と原稿支持板１０との距離は、ＣＩＳ２６が原稿支持板１０に傾きは小さいものの傾いて配置されているため、左端部の距離Ｌ５ａと中央部の距離Ｌ５ｂと右端部の距離Ｌ５ｃは異なる。ＣＩＳ２４と原稿支持板１０との距離は、ＣＩＳ２４が原稿支持板１０に傾きは小さいものの傾いて配置されているため、左端部の距離Ｌ３ａと中央部の距離Ｌ３ｂと右端部の距離Ｌ３ｃは異なる。また、各ラインセンサＣＩＳ２２、ＣＩＳ２３、ＣＩＳ２４、ＣＩＳ２５、ＣＩＳ２６の隣同士の右端部及び左端部と原稿支持板１０までの距離も異なる。
【００２９】
各ラインセンサＣＩＳ２２、ＣＩＳ２３、ＣＩＳ２４、ＣＩＳ２５、ＣＩＳ２６と原稿支持板１０との距離、傾きは、各ラインセンサＣＩＳ２２、ＣＩＳ２３、ＣＩＳ２４、ＣＩＳ２５、ＣＩＳ２６の寸法公差、設置誤差などによってばらつきがあり、必ずしも一致しているとは限らない。
【００３０】
各ラインセンサＣＩＳ２２、ＣＩＳ２３、ＣＩＳ２４、ＣＩＳ２５、ＣＩＳ２６は構造が同じなので、図５に示すように、ＣＩＳ２２を用いてこれらを説明する。細長い合成樹脂製のセンサ絶縁３１に、多数の光電変換素子３２及び照明手段３３を取付けて一体化されている。多数の光電変換素子３２は、センサ絶縁３１の長手方向に並べて、言い換えれば主走査方向に一列に並べられている。照明手段３３は、例えば、センサ絶縁３１に内蔵された図示しない赤色、緑色、青色の各発光ダイオード列と、これらの列に個別に対向してセンサ絶縁３１の上面部に設けられた導光体３３ａ、３３ｂ、３３ｃとからなる。光源をなす各発光ダイオード列及び導光体３３ａ、３３ｂ、３３ｃはいずれも主走査方向に延びている。なお、照明手段３３の光源には白色の発光ダイオードを用いることもできる。
【００３１】
図７に示すように制御部１７は、例えばマイクロコンピュータ等により構成され、Ａ／Ｄコンバータ４１、メモリ４２と、データ処理手段、例えばデータ処理部４３と、画像処理手段、例えば画像処理部４４と、制御手段、例えばＣＰＵ４５と、プログラムメモリ４６と、記憶手段、例えばＥＥＰＲＯＭなどからなる不揮発性メモリ４７などを備えている。
【００３２】
Ａ／Ｄコンバータ４１には、各ラインセンサＣＩＳ２２、ＣＩＳ２３、ＣＩＳ２４、ＣＩＳ２５、ＣＩＳ２６の各光電変換素子３２から読み出されるアナログデータが入力される。Ａ／Ｄコンバータ４１は、入力されたアナログデータをデジタルデータに変換して、それをデータ処理部４３に送る。このＡ／Ｄコンバータ４１のサンプリング周波数、レファレンス値を決めるパラメータはデータ処理部４３で制御されている。
【００３３】
メモリ４２は、ＳＤＲＡＭ（ｓｅｃｕｒｅ  ｄｉｇｉｔａｌ  ｒａｎｄｏｍ  ａｃｃｅｓｓ  ｍｅｍｏｒｙ）又はＳＲＡＭ（ｓｔａｔｉｃ  ｒａｎｄｏｍ  ａｃｃｅｓｓ  ｍｅｍｏｒｙ）等で形成されている。このメモリには各種のデータが記憶される。
【００３４】
データ処理部４３は、ＦＰＧＡ又はゲートアレイ等のＡＳＩＣ（ａｐｐｌｉｃａｔｉｏｎ  ｓｐｅｃｉｆｉｃｉｎｔｅｇｒａｔｅｄ  ｃｉｒｃｕｉｔ）等で形成されている。このデータ処理部４３が有した図示しないセンサ制御部は、各ラインセンサＣＩＳ２２、ＣＩＳ２３、ＣＩＳ２４、ＣＩＳ２５、ＣＩＳ２６の各光電変換素子３２からのデータの読み出し制御を行う。この読み出し制御によって、データ処理部４３がライン周期毎に発生するパルス（ＴＲ）を起点として、データ処理部４３が制御する転送周期に対応して、光電変換素子３２の受光量に応じた電圧（アナログデータ）が、光電変換素子３２列の一端側から他端側にシリアル出力される。
【００３５】
データ処理部４３が有する図示しない点灯制御部は、照明手段３３の点灯を制御する。この場合、赤色、緑色、青色の各発光ダイオードが同時点灯されることにより、モノクロ画像を形成するに適した白色光が原稿支持板１０の裏面に向けて照射される。なお、カラー画像を形成する用途に使用する場合には、赤色、緑色、青色の各発光ダイオードの点灯を１ライン周期内で、時間的にずらして点灯を独立させ、その１ラインの周期内で光電変換素子３２列の光電変換データを３回転送することで、Ｒ、Ｇ、Ｂ毎に独立した諧調値を得ることもできる。
【００３６】
データ処理部４３は、いずれも後述する読取り平均値算出部４３ａ、感度オフセット係数算出部４３ｂ、及びシェーディング補正部４３ｃを有している。さらに、データ処理部４３は図示しない１ライン制御部を有している。この１ライン制御部は、シェーディング補正を実行したデータを一旦はメモリ４２に蓄え、副走査方向の位置が異なるラインセンサ間の遅延時間を考慮して、１ライン分のデータが揃った時点で、それをメモリ４２から読み出して、異なるラインセンサ間のデータをつなぎ合わせてから、必要な範囲を切り出す処理をして、それにより得られる１ライン分のデータを画像処理部４４に送るものである。
【００３７】
画像処理部４４は、入力したデータを、拡大、縮小するサイズ調整、輝度及びコントラストなどのトーン調整、及び２値化処理などを必要に応じて実行して画像データを形成するものである。この画像処理部４４で処理されたデータは、図示しないインターフェースを通して、原稿読取り部５の外部、つまり、本実施形態では画像形成ユニット４０に転送される。インターフェースには、ＵＳＢ（ｕｎｉｖｅｒｓａｌ  ｓｅｒｉａｌ  ｂｕｓ）、又はＩＥＥＥ１３９４（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  １３９４）、或いはＳＣＳＩ（ｓｍａｌｌ ｃｏｍｐｕｔｅｒ  ｓｙｓｔｅｍ  ｉｎｔｅｒｆａｃｅ）などを用いることができる。
【００３８】
ＣＰＵ４５は、原稿読取り装置の全般の動作を制御するものである。各ラインセンサＣＩＳ２２、ＣＩＳ２３、ＣＩＳ２４、ＣＩＳ２５、ＣＩＳ２６、Ａ／Ｄコンバータ４１、メモリ４２、及び画像処理部４４には、夫々個々の動作を決めるレジスタが設けられているが、それらの値は、ＣＰＵ４５がデータ処理部４３を通じて設定することができる。プログラムメモリ４６は、フラッシュメモリ等で形成され、これにはＣＰＵ４５の動作を決めるプログラムが格納されている。このプログラムは、画像形成装置１の原稿読取り部５に電源が投入されと、ＣＰＵ４５により読み出され、それによって原稿読取り装置の動作が開始される。
【００３９】
データ処理部４３の読取り平均値算出部４３ａと感度オフセット係数算出部４３ｂとは、各ラインセンサＣＩＳ２２、ＣＩＳ２３、ＣＩＳ２４、ＣＩＳ２５、ＣＩＳ２６の夫々の光電変換素子３２の読取りデータのダイナミックレンジを上げるシェーディング補正において、シェーディング補正用の白基準板１１と原稿Ｒとの光の反射位置の違いに起因する光電変換素子３２の感度を、見掛け上焦点位置にオフセットする補正値を得るために設けられている。
【００４０】
詳しくは、読取り平均値算出部４３ａは、原稿読取り装置の製造過程での調整時に機能する。この読取り平均値算出部４３ａでの処理に先立って、まず、照明手段３３で照明された白基準板１１からの反射光を各ラインセンサＣＩＳ２２、ＣＩＳ２３、ＣＩＳ２４、ＣＩＳ２５、ＣＩＳ２６に受光させて、これらラインセンサＣＩＳ２２、ＣＩＳ２３、ＣＩＳ２４、ＣＩＳ２５、ＣＩＳ２６が有した光電変換素子３２をスキャンすることにより、その読取り値（これを白基準読取り値Ａと称する。）が求められる。更に、固定の前記白基準板１１と同種の他の白基準板（図示しない）を原稿支持板１０上に人為的に置いて、この状態において、照明手段３３で照明された他の白基準板からの反射光を各ラインセンサＣＩＳ２２、ＣＩＳ２３、ＣＩＳ２４、ＣＩＳ２５、ＣＩＳ２６に受光させて、これらラインセンサＣＩＳ２２、ＣＩＳ２３、ＣＩＳ２４、ＣＩＳ２５、ＣＩＳ２６が有する光電変換素子３２をスキャンすることにより、その読取り値（これを白基準読取り値Ｂと称する。）が求められる。これらの白基準読取り値Ａ、Ｂは、いずれもその電圧値に応じたグレー諧調を示すデジタルデータに変換されてメモリ４２に記憶される。
【００４１】
この手順で求めた白基準読取り値Ｂは、図６での焦点位置ａでの読取り値に相当し、白基準読取り値Ａは焦点位置ａからずれた位置、例えば図６中の受光素子からの距離の位置ｂ、での読取り値に相当する。白基準読取り値Ａ、Ｂは光電変換素子３２の出力の大きさ、言い換えれば、反射位置の違いに起因する光電変換素子３２の感度を示すものであり、白基準読取り値Ａは白基準読取り値Ｂより小さい。
【００４２】
こうして求められた白基準読取り値Ａ、Ｂを基に読取り平均値算出部４３ａでの平均化処理が実行される。この処理では、例えば、光電変換素子の個数をＮ個とすると、ラインセンサの一方側の１個目〜Ｎ／２個目の光電変換素子の白基準読取値Ａを平均化した白基準読取り加重平均値ＡＡＲ、及び、ラインセンサの一方側の１個〜Ｎ／２個目の光電変換素子の白基準読取値Ｂを平均化した白基準読取り加重平均値ＢＢＲを求める。同様に、ラインセンサの他方側のＮ／２個目〜Ｎ個目の光電変換素子の白基準読取値Ａを平均化した白基準読取り加重平均値ＡＡＬ、及び、ラインセンサの他方側のＮ／２個〜Ｎ個目の光電変換素子の白基準読取値Ｂを平均化した白基準読取り加重平均値ＢＢＬを求める。この白基準読取り加重平均値ＡＡＲ、ＡＡＬ、ＢＢＲ、ＢＢＬの求め方は一通りではなく、ＡＡＲ、ＢＢＲは、ラインセンサの白基準読取り値Ａ、Ｂを一方側に重みづけされた値、ＡＡL、ＢＢＬは、他方側に重みづけされた値であればよい。
この例では、ラインセンサの半分の光電変換素子毎に平均値をとったが、端部の所定個数の光電変換素子のデータを平均しても良い。
【００４３】
メモリ４２に記憶された各光電変換素子３２の白基準読取り値Ａを読み出して、それをラインセンサＣＩＳ２２、ＣＩＳ２３、ＣＩＳ２４、ＣＩＳ２５、ＣＩＳ２６毎に個別に、一方側と他方側の値を加重平均化して、ラインセンサＣＩＳ２２、ＣＩＳ２３、ＣＩＳ２４、ＣＩＳ２５、ＣＩＳ２６毎に白基準読取り加重平均値ＡＡＲ、ＡＡＬを求める。
【００４４】
これとともに、メモリ４２に記憶された各光電変換素子３２の白基準読取り値Ｂを読み出して、それをラインセンサＣＩＳ２２、ＣＩＳ２３、ＣＩＳ２４、ＣＩＳ２５、ＣＩＳ２６毎に個別に加重平均化して、ラインセンサＣＩＳ２２、ＣＩＳ２３、ＣＩＳ２４、ＣＩＳ２５、ＣＩＳ２６毎に白基準読取り加重平均値ＢＢＲ、ＢＢＬを求める。この平均化処理によって、ラインセンサＣＩＳ２２、ＣＩＳ２３、ＣＩＳ２４、ＣＩＳ２５、ＣＩＳ２６毎の各光電変換素子３２の白基準読取り値Ａ及び白基準読取り値Ｂのばらつきを均すことができる。
【００４５】
感度オフセット係数算出部４３ｂでは、白基準読取り平均値ＡＡＲと白基準読取り平均値ＢＢＲ、及び、白基準読取り加重平均値ＡＡＬと白基準読取り加重平均値ＢＢＬとの比率を求める。つまり、白基準読取り加重平均値ＡＡＲで白基準読取り加重平均値ＢＢＲを割り算し、ＣＣＲを求める。また、白基準読取り加重平均値ＡＡＬで白基準読取り加重平均値ＢＢＬを割り算し、ＣＣＬを求める。この処理により、図６に示した焦点位置ａからずれた位置ｂ、での白基準読取り値Ａを、焦点位置ａでの読取り値に相当させるための補正値、すなわち、感度オフセット係数ＣＣＲ、ＣＣＬを得ることができる。この感度オフセット係数ＣＣＲ、ＣＣＬは、既述の手順から明らかなようにラインセンサＣＩＳ２２、ＣＩＳ２３、ＣＩＳ２４、ＣＩＳ２５、ＣＩＳ２６毎に求められる。これら各ラインセンサＣＩＳ２２、ＣＩＳ２３、ＣＩＳ２４、ＣＩＳ２５、ＣＩＳ２６の夫々に固有の感度オフセット係数ＣＣＲ、ＣＣＬは、不揮発性のメモリ４７に記憶されるとともに、シェーディング補正部４３ｃでの補正処理の際に読み出されて使用される。
【００４６】
各ラインセンサは、取り付けの傾きなどの影響で、一方側と他方側とでは感度にばらつきが生じるので、ラインセンサのどの場所でも一つの値で補正をするのではなく、場所に応じた補正値で補正されることが望ましい。
【００４７】
シェーディング補正部４３ｃは、各ラインセンサＣＩＳ２２、ＣＩＳ２３、ＣＩＳ２４、ＣＩＳ２５、ＣＩＳ２６が有する個々の光電変換素子３２の出力データのダイナミックレンジを上げるためのシェーディング補正を行う。この補正は、原稿読取り部５の実使用において実際に原稿を読取る場合、例えば原稿を読取る毎に実行することが好ましいが、所定の原稿読取り枚数毎に実行するようにすることも可能である。
【００４８】
このシェーディング補正では、原稿を実際に読取る直前に白基準板１１を読み取って得た白基準読取り値Ａａに、メモリ４７から読み出された感度オフセット係数Ｃを乗じて、シェーディング補正で使用する白基準読取り値を求める。なお、感度オフセット係数Ｃは、光電変換素子の位置ｎ（１≦ｎ≦Ｎ）により異なり、以下の式で求められる。
【００４９】
ＣＣＲ＋（（ＣＣＬ−ＣＣＲ）／（Ｎ−１））×（ｎ−１）
なお、白基準読取り値Ａａとは、原稿読取り装置の製造段階に比較して白基準板１１の色調が経年変化等により変化して、その結果読取り値が変化することがあるということを意味している。そして、こうして感度補正をされた白基準読取り値と、黒基準読取り値Ｄと、次に、実際に原稿を読取ったラインセンサＣＩＳ２２、ＣＩＳ２３、ＣＩＳ２４、ＣＩＳ２５、ＣＩＳ２６の光電変換素子３２毎の原稿読取り値Ｅとを用いて、シェーディング補正部４３ｃは、次式にしたがってシェーディング補正をする。
【００５０】
諧調数×〔（Ｅ−Ｄ）／〔（Ａａ×Ｃ）−Ｄ〕〕
この式において、Ａａは既述のように原稿を実際に読取る直前の白基準板１１の白基準読取り値、Ｃは感度オフセット係数、Ｄは原稿を実際に読取る直前に、照明を切った状態で、白基準板１１を読取った黒基準読取り値、Ｅは原稿読取り値である。又、諧調数は、前記Ａ／Ｄコンバータ４１によるアナログデータのデジタルデータへの変換段数であって、例えば８ビットで表わされ、その値は２５５である。
【００５１】
以上のシェーディング補正で、白基準板１１を実際に読取って得た白基準読取り値Ａａに感度オフセット係数Ｃを乗じることは、白基準板１１又は原稿支持板１０に対する各ラインセンサＣＩＳ２２、ＣＩＳ２３、ＣＩＳ２４、ＣＩＳ２５、ＣＩＳ２６の夫々の距離のばらつき、及び傾きに応じた読取り感度を、ラインセンサＣＩＳ２２、ＣＩＳ２３、ＣＩＳ２４、ＣＩＳ２５、ＣＩＳ２６毎にそれに固有の感度オフセット係数Ｃで修正するということである。したがって、こうした修正がなされることにより、例えば、ベタ一面の画像が均一なグレー諧調であるような場合であっても、原稿支持板１０に対する各ラインセンサＣＩＳ２２、ＣＩＳ２３、ＣＩＳ２４、ＣＩＳ２５、ＣＩＳ２６の距離のばらつきに拘わらず、各ラインセンサＣＩＳ２２、ＣＩＳ２３、ＣＩＳ２４、ＣＩＳ２５、ＣＩＳ２６の光電変換素子３２から読出される原稿読取り値のばらつきを抑制できる。
【００５２】
つまり、千鳥状配置の各ラインセンサＣＩＳ２２、ＣＩＳ２３、ＣＩＳ２４、ＣＩＳ２５、ＣＩＳ２６の読み取り領域の違いがあったとしても光電変換素子３２から読み出される原稿読み取り値のばらつきを抑制できる。
【００５３】
そのため、画像処理部４４を経て画像形成ユニット４０に送られた画像データを基に、この画像形成ユニット４０で形成される画像に、各ラインセンサＣＩＳ２２、ＣＩＳ２３、ＣＩＳ２４、ＣＩＳ２５、ＣＩＳ２６の読取り領域に対応した画像領域毎に濃度のばらつきが発生することを抑制でき、形成画像の品質を向上できる。
【００５４】
図８は本発明の他の実施形態を示している。この実施形態は、図１に示した画像形成装置１の原稿読取り部５をイメージスキャナ１００として独立させた例を示している。原稿読取り部５と同じであるので、同一部分には同じ符号を付して説明を省略する。そして、このイメージスキャナ１００においても、既述の一実施形態と同じ作用を得て、本発明の課題を解決できるという効果がある。画像形成装置１では、原稿読取りユニット８で読取ったデータを画像形成ユニット４０に送信していたが、イメージスキャナ１００では、原稿読取りユニット８で読取ったデータを外部機器に送信するインターフェースを備える。
【００５５】
なお、本発明は各実施形態には制約されない。例えば、本発明は実施形態のような原稿移動型の原稿読取装置以外にも、原稿が原稿支持面上に固定され、ラインセンサが原稿に対して移動される原稿固定型の原稿読取装置にも適用可能である。
【産業上の利用可能性】
【００５６】
本発明は、複写機などの画像読取り装置付の記録装置に利用できる。
【符号の説明】
【００５７】
１  画像形成装置
Ｒ  原稿
５  原稿読取り部
７  原稿台
８  原稿読取り装置の原稿読取りユニット
９  原稿台カバー
１０  原稿読取り装置の原稿支持板
１１  原稿読取り装置の白基準板
１７  原稿読取り装置の制御部
２１  ユニットベース
ＣＩＳ２２  ラインセンサ
ＣＩＳ２３  ラインセンサ
ＣＩＳ２４  ラインセンサ
ＣＩＳ２５  ラインセンサ
ＣＩＳ２６  ラインセンサ
３２  光電変換素子
３３  照明手段
４１  Ａ／Ｄコンバータ
４７  不揮発性メモリ
４３  データ処理部
４３ａ  読み取り平均値算出部
４３ｂ  感度オフセット係数算出部
４３ｃ  シェーディング補正部
【図１】
2015211344.tif 000003
【図２】
2015211344.tif 000004
【図３】
2015211344.tif 000005
【図４】
2015211344.tif 000006
【図５】
2015211344.tif 000007
【図６】
2015211344.tif 000008
【図７】
2015211344.tif 000009
【図８】
2015211344.tif 000010